(57)【要約】【課題】一人暮らしの老齢者が増加するとともに、その安否確認システムが必要になっているが、専用の家庭電気器具を必要とし、利用者が使用するのに習熟が必要であった。【解決手段】リモコン信号送信装置と情報処理装置を有する情報処理システムであって、リモコン信号送信装置は、電子機器のリモコン信号を受信し、当該リモコン信号に関するデータを情報処理装置に送信し、情報処理装置は、受信したリモコン信号に関するデータを受信し、当該データを判定し判定結果を出力する情報処理システムであり、専用の家庭電気器具を必要とせず、利用者の習熟も必要としないシステムにより、課題を解決する。【選択図】  図１
2004274296.tif 000002
【特許請求の範囲】
【請求項１】
リモコン信号送信装置と情報処理装置を有する情報処理システムであって、
前記リモコン信号送信装置は、
電子機器のリモコン信号を受信し、当該リモコン信号に関するデータを前記情報処理装置に送信し、
前記情報処理装置は、
前記受信したリモコン信号に関するデータを受信し、当該データを判定し判定結果を出力する情報処理システム。
【請求項２】
リモコン信号送信装置、サーバ装置、情報処理装置を有する情報処理システムであって、
前記リモコン信号送信装置は、
電子機器のリモコン信号を受信し、前記リモコン信号に関するデータをサーバ装置に送信し、
前記サーバ装置は、
前記リモコン信号に関するデータを受信し、当該データをあらかじめ決められた情報処理装置に送信し、
情報処理装置は、
前記データを受信し、当該データを判定し判定結果を出力する情報処理システム。
【請求項３】
前記リモコン信号送信装置は、リモコン信号に関するデータと利用者識別情報を前記サーバ装置または前記情報処理装置に送信する請求項１または請求項２いずれか記載の情報処理システム。
【請求項４】
前記リモコン信号送信装置は、携帯電話機である請求項１から請求項３いずれか記載の情報処理システム。
【請求項５】
前記リモコン信号送信装置は、赤外線受信装置と携帯電話機とからなり、前記赤外線受信装置を前記携帯電話機に接続したことを特徴とする請求項１から請求項３いずれか記載の情報処理システム。
【請求項６】
前記情報処理装置は、前記受信したリモコン信号に関するデータを元に、所定の条件に合致しているかどうか判定し、合致している場合、所定の情報を出力することを特徴とする請求項１から請求項３いずれか記載の情報処理システム。
【請求項７】
前記情報処理装置は、前記受信したリモコン信号に関するデータを元に、所定の条件に合致しているかどうか判定し、前記リモコン信号に関するデータ、前記リモコン信号に関するデータから抽出したデータ、前記判定した結果のうち少なくともいずれかを行動履歴情報として記憶し、判定に使用することを特徴とする請求項１から請求項３いずれか記載の情報処理システム。
【請求項８】
請求項１から請求項７いずれか記載の情報処理システムを構成するリモコン信号送信装置。
【請求項９】
請求項２から請求項７いずれか記載の情報処理システムを構成するサーバ装置。
【請求項１０】
請求項１から請求項７いずれか記載の情報処理システムを構成する情報処理装置。
【請求項１１】
請求項５記載の情報処理システムを構成する赤外線受信装置。
【請求項１２】
リモコン信号データから操作情報を抽出し、分析を行い、分析結果が所定の条件に合致しているかどうかを判定し、所定の条件に合致している場合、リモコン操作以外の所定の情報を出力する情報処理システム。
【請求項１３】
受信したリモコン信号に基づいて、リモコンのユーザの生活状況を判定し、出力する情報出力方法。
【発明の詳細な説明】
【０００１】
【発明の属する技術分野】
本発明は、独居老人などの安否確認等を行う情報処理システム等に関する。
【０００２】
【従来の技術】
従来、電気ポットや湯沸しジャー、電気炊飯器などを安否確認センターと通信回線で接続し、安否確認センターが電気ポットや湯沸しジャー、電気炊飯器などの操作状況をモニターして、独居老人などの安否状況を検知し、家族に状況を通知するシステムが知られている。また、インターネットにより、独居老人などに毎朝メールを送り、気分を返事してもらったり、話し相手の要望や、お手伝いの要望を受けたりするような、安否確認システムが知られている（例えば、非特許文献１参照）。
【０００３】
【非特許文献１】
”ＩＴ活用、独居老人を支援システム開発、都内で実験”「ｏｎｌｉｎｅ」、２００２年０２月２７日更新、「平成１５年２月１日検索」、インターネット＜ＵＲＬ：ｈｔｔｐ：／／ｊ．ｐｅｏｐｌｅ．ｎｅ．ｊｐ／２００２／０２／２７／ｊｐ２００２０２２７＿１４６１６．ｈｔｍｌ＞
【０００４】
【発明が解決しようとする課題】
しかし、上記の従来技術において、通信機能が組み込まれた特別の電気ポットや湯沸しジャー、電気炊飯器などが必要であったり、独居老人が、慣れないメールを返信したりする必要があった。
【０００５】
本発明は、特に、独居老人が使用するのに負担が少なく、かつ、特別の家庭電気器具を必要としない、導入が容易な安否確認用の情報処理システムを提供することを目的とする。
【０００６】
【課題を解決するための手段】
上記の課題を解決するために、本発明の情報処理システムは、以下のような手段を採用する。
【０００７】
（１）リモコン信号送信装置と情報処理装置を有する情報処理システムであって、リモコン信号送信装置は、テレビ受像機などの電子機器のリモコン信号を受信し、リモコン信号データを情報処理装置に送信し、情報処理装置は、受信したリモコン信号データをテレビなどの電子機器の操作情報に変換し、当該操作情報より異常などの有無を判定する。かかる情報処理システムにより、負担なく電子機器の操作に関する情報を蓄積でき、かつ利用できる。したがって、特に、独居老人の安否確認が容易に実現できる。
【０００８】
（２）リモコン信号送信装置、サーバ装置、情報処理装置を有する情報処理システムであって、リモコン信号送信装置は、テレビ受像機などの電子機器のリモコン信号を受信し、リモコン信号データをサーバ装置に送信し、サーバ装置は、リモコン信号データを受信し、受信したリモコン信号データをあらかじめ決められた情報処理装置に送信し、情報処理装置は、受信したリモコン信号データをテレビなどの電子機器の操作情報に変換し、当該操作情報より異常などの有無を判定する。かかる情報処理システムにより、負担なく電子機器の操作に関する情報を蓄積でき、かつ利用できる。したがって、特に、独居老人の安否確認が容易に実現できる。
【０００９】
（３）上記（１）、（２）において、リモコン信号送信装置は、リモコン信号データと利用者識別情報を送信する。かかるシステムにより、複数人の操作情報を取得でき、例えば、複数人の安否確認が容易にできる。
【００１０】
（４）上記（１）、（２）、（３）において、リモコン信号送信装置は、携帯電話機を利用する。
【００１１】
（５）上記（１）、（２）、（３）において、リモコン信号送信装置は、赤外線受信装置と携帯電話機とからなり、赤外線受信装置を携帯電話機に接続する。
【００１２】
（６）上記（１）、（２）、（３）において、情報処理装置は、受信したリモコン信号データを元に、所定の条件に合致しているかどうか判定し、合致している場合、所定の情報を出力する。
【００１３】
（７）上記（１）、（２）、（３）において、情報処理装置は、受信したリモコン信号データを元に、所定の条件に合致しているかどうか判定し、リモコン信号データ、リモコン信号データから抽出したデータ、判定した結果のうち少なくともいずれかを行動履歴情報として記憶し、判定に使用する。
【００１４】
（８）リモコン信号データから操作情報を抽出し、分析を行い、分析結果が所定の条件に合致しているかどうかを判定し、所定の条件に合致している場合、リモコン操作以外の所定の情報を出力する。
【発明の実施の形態】
以下、情報処理システム等の実施形態について図面を参照して説明する。なお、実施の形態において同じ符号を付した構成要素は同様の動作を行うので、再度の説明を省略する場合がある。
【００１５】
（実施の形態１）
【００１６】
図１は、本発明の安否確認システムのブロック構成を示している。図１において、安否状況を確認される側の利用者である独居老人が日常生活する部屋１０には、テレビ受像機１１が設置されており、付属のリモコン１３により操作ができる。テレビ受像機１１の近傍に設定されたリモコン信号送信装置１２とサーバ装置１６の間は、有線または無線通信回線、またはインターネット回線などの通信回線１５で結合されている。サーバ装置１６と情報処理装置１７の間も有線または無線通信回線、インターネット回線などの通信回線１８で結合されている。
【００１７】
なお、リモコン信号送信装置１２とサーバ装置１６の間、およびサーバ装置１６と情報処理装置１７の間は、放送手段、放送を受信する手段で情報の送受信を行っても良い。
【００１８】
利用者がリモコンを操作してテレビ受像機１１の電源ＯＮ、ＯＦＦ、チャンネル切り替え、音量調整などを行うと、リモコン信号が赤外線信号１４として、テレビ受像機１１に向けて、室内に放射される。リモコン信号送信装置１２は、室内に放射された赤外線信号１４を受信すなわち傍受し、リモコン信号に関するデータを後述する利用者識別情報とともに、サーバ装置１６に送信する。なお、利用者識別情報は、赤外線信号１４とともに、リモコン１３から送信されても良いし、リモコン信号送信装置１２が保持していても良い。利用者識別情報は、利用者を識別する情報であれば良く、そのデータ構造は問わない。
【００１９】
リモコン信号に関するデータとは、赤外線信号１４と同じ信号でも良いし、赤外線信号１４の全部または一部の信号からドライバーが取得するデータでも良いし、当該信号の意味内容を示すデータでも良い。リモコン信号に関するデータが信号の意味内容を示すデータである場合は、例えば、リモコン信号送信装置１２は、赤外線信号１４と信号の意味内容を示すデータの対応表を保持している。リモコン信号に関するデータは、適宜、リモコン信号データという。
【００２０】
サーバ装置１６は、受信したリモコン信号に関するデータと利用者識別情報を情報処理装置１７に転送する。情報処理装置１７は、受信したリモコン信号に関するデータと利用者識別情報を解析し、利用者の状況を判定する。判定の結果、何らかの異常状態であると判定した場合、情報処理装置１７は、警報を発生し、情報処理装置１７の管理者に異常状態を知らせる。
【００２１】
リモコン信号送信装置１２は、図２の（１）に示すように、リモコン信号受信部２０、識別情報発生部２１、送信部２２を備える。
【００２２】
リモコン信号受信部２０は、赤外線信号１４を受信し、リモコン信号に関するデータを取り出す。ここでは、リモコン信号に関するデータは、赤外線信号１４から取得されるデータである。リモコン信号受信部２０は、赤外線受光部およびそのドライバーソフトにより実現され得る。
【００２３】
送信部２２は、リモコン信号に関するデータを送信する際に、識別情報発生部２１により作成される利用者識別情報を付加して、サーバ装置１６に送信する。
利用者識別情報は、利用者ごとに割り振られた利用者を識別する情報である。送信部２２は、通常、無線または有線の通信手段で実現されるが、放送手段で実現しても良い。
【００２４】
識別情報発生部２１は、ここでは、あらかじめ格納されている利用者識別情報を取得する。識別情報発生部２１は、通常、ソフトウェアで実現されるが、ハードウェア（電子回路）で実現しても良い。
【００２５】
サーバ装置１６は、複数の利用者から送信されるリモコン信号に関するデータと利用者識別情報を受信すると、これらを情報処理装置１７に転送する。かかるデータの受信、送信は、無線または有線の通信手段（インターネット回線も含む）で実現されることが好適であるが、放送を受信する手段および放送手段で実現されても良い。
【００２６】
情報処理装置１７は、図２（２）に示すような構成である。図２（２）において、サーバ装置１６から送信されたリモコン信号に関するデータと利用者識別情報を、状況情報受信部２３において受信する。状況情報受信部２３は、無線または有線の通信手段で実現されえるが、放送を受信する手段で実現しても良い。
【００２７】
また、状況情報受信部２３は、利用者識別情報を識別情報解析部２４に、リモコン信号に関するデータを状況情報解析部２５に、それぞれ送る。
【００２８】
状況履歴記憶部２６は、状況情報受信部２３が受信したリモコン信号に関するデータと利用者識別情報を蓄積していく。そして、状況履歴記憶部２６は、利用者の行動履歴情報を記憶している。行動履歴情報は、識別情報、テレビ操作情報、テレビ設定情報、時刻情報などより成る。行動履歴情報は、リモコン信号に関するデータと利用者識別情報と同じ情報でも良いし、リモコン信号に関するデータと利用者識別情報から得られる情報でも良い。状況履歴記憶部２６が、行動履歴情報を蓄積する動作は、通常、ソフトウェアで実現されるが、ハードウェア（電子回路）で実現しても良い。
【００２９】
識別情報解析部２４は、利用者識別情報を抽出し、利用者識別情報を元に状況履歴記憶部２６から、利用者の行動履歴情報を取り出し、状況判定部２７に送る。状況情報解析部２５は、リモコン信号に関するデータから利用者の今回のテレビ操作情報を抽出し、状況判定部２７に送る。識別情報解析部２４の上記処理の開始のトリガーは、問わない。つまり、状況判定部２７はどのようなタイミングで以下に述べる状況の判定を行っても良い。例えば、状況判定部２７は、ユーザからの指示により判定を行っても良いし、データを受信するごとに状況の判定を行っても良いし、予め決められた時刻に状況の判定を行っても良い。識別情報解析部２４は、通常、ソフトウェアで実現されるが、ハードウェア（専用の電子回路）で実現されても良い。
【００３０】
状況判定部２７は、利用者の行動履歴情報とテレビ操作情報に基づいて、現在のテレビ受像機１１の設定状態と現在の利用者の状況を推定し、利用者の状態に異常があると判断した場合は、利用者識別情報、利用者名、異常の内容などを、図示しない表示装置に表示し、管理者（ユーザ）に提示する。状況判定部２７は、今回推定したテレビ設定情報、利用者の状況、行動内容などを、利用者識別情報に対応した行動履歴情報として状況履歴記憶部２６に記憶し、次回の判定に利用する。また、状況履歴記憶部２６は、状況情報解析部２５が今回抽出したテレビ操作情報と時刻情報を、利用者識別情報に対応して行動履歴情報として念のため記憶しておく。
【００３１】
なお、ここでは、その時点（今回）のテレビ操作情報だけでは、テレビ受像機１１の設定状態がわからない場合があるので、テレビ操作情報とテレビ設定情報を用いてテレビ受像機１１の設定状態を推定する。たとえば、テレビ受像機が電源ＯＦＦの状態に、利用者が気づかずに、リモコン１３のチャンネル選択を操作した場合、今回のテレビ操作情報には、チャンネル番号しか含まれず、過去のテレビ設定情報を参照しないと、電源ＯＮ、ＯＦＦの状態は分らない。一方、電源ＯＮ、ＯＦＦ操作なら、今回のテレビ操作情報のみで、テレビ受像機の電源ＯＮ、ＯＦＦ状態がわかる。また、音量は一般的に増減の指示を行うだけであるので、それまでの音量状態データがないと、音量設定は分らない。チャンネルについては、チャンネル番号を直接選択する場合と、チャンネル番号を増減する場合がある。
【００３２】
状況情報解析部２５が受け取るリモコン信号に関するデータは、通常、標準的なリモコン符号フォーマットからなっている。電源のＯＮ、ＯＦＦ、チャンネル番号選択、音量増減、ミュート、番組予約などを指示するテレビ操作情報を含んでいる。状況履歴記憶部２６には、前回受信したリモコン信号データより抽出したテレビ操作情報や、状況判定部２７が推定したテレビ設定情報、時刻情報が記憶されている。
【００３３】
前回以前に電源ＯＮを受信しており、テレビ設定情報が電源ＯＮとなっており、最近テレビ操作情報を受信した時刻から長時間、たとえば、２時間以上、リモコン信号を受信しない場合、異常と判断する。なぜなら、大部分のテレビ放送の１番組は、２時間未満であるから、２時間以内にチャンネルを切り替えることが多い。また、コマーシャル中は、他の番組を覗いてみることも多い。テレビ受像機の電源がＯＮであるのに、２時間の間、何の操作もしない場合は、利用者に事故がおきたと推定される。状況判定部２７は、状況履歴記憶部２６から、前回テレビ操作情報中の電源ＯＮの情報あるいはテレビ設定情報中の電源ＯＮ・ＯＦＦ情報と前回受信時刻情報とを入手し、前回受信時刻情報からの時間経過を計数し、２時間経ったかどうかを判定する処理を行い、２時間を越えれば異常発生情報を出力すればよい。
【００３４】
いつも見ている番組を、その放送時間中に見ていない場合も、なんらかの異常が起きた可能性がある。状況履歴記憶部２６には、利用者がよく見る番組のチャンネル番号情報と、その番組の時間情報とを一週間にわたり、視聴習慣情報として記憶しておく。状況情報解析部２５が受信したリモコン信号データを解析してテレビ操作情報を状況判定部２７に入力し、テレビ受像機が電源ＯＮ状態であり、リモコン１３の操作がしばらくなされておらず、今見ているはずのチャンネル番号と現在時刻が、状況履歴記憶部２６から得た視聴習慣情報のデータと合致しない場合は、異常発生情報を出力すればよい。
【００３５】
予約した番組を予約時間中に一度も見ていない場合も、なんらかの異常が起きた可能性がある。状況履歴記憶部２６には、利用者が前もって予約した番組のチャンネル番号と番組開始と番組終了時刻を、予約操作の際のリモコン信号データから抽出し、番組予約情報として記憶しておく。状況情報解析部２５が受信したリモコン信号データを解析してテレビ操作情報を状況判定部２７に入力し、テレビ受像機が電源ＯＮ状態であり、リモコン１３の操作がしばらくなされておらず、今見ているはずのチャンネル番号が、番組開始と番組終了時刻の間、予約した番組のチャンネル番号と合致しない場合は、異常発生情報を出力すればよい。また、番組開始と番組終了時刻の間、電源がＯＦＦのままの場合も、異常発生情報を出力すればよい。これらの判定は、状況履歴記憶部２６から読み出した、番組予約情報、テレビ設定情報、および、今回のテレビ操作情報、受信時刻から行うことができる。
【００３６】
なお、リモコン信号に関するデータが標準的なリモコン符号フォーマットに合致しない場合は、そのためのテレビ操作情報抽出プログラムを状況情報解析部２５内に備えればよい。
【００３７】
上記リモコン信号に関するデータは、リモコン符号、テレビ操作情報、テレビ設定情報などとすることが可能であるが、それぞれの詳細については、後述する。
【００３８】
以上、本実施の形態によれば、簡単な機器構成で、遠隔のユーザの電子機器の操作状況が分かり、その結果、ユーザの安否が確認できる。
【００３９】
なお、本実施の形態によれば、リモコン信号は、赤外線信号であったが、他の信号（無線通信信号など）でも良い。つまり、ユーザを拘束せずに、ユーザの生活状況が判断でき得るシステムであれば良い。本情報処理システムでは、受信したリモコン信号に基づいて、リモコンのユーザの生活状況を判定し、出力する情報出力方法を実現する。ユーザの生活状況とは、安否や通常でない状態などを言う。かかることは、他の実施の形態においても同様である。
【００４０】
また、本実施の形態によれば、テレビ受像機のリモコン信号を利用して、ユーザの安否の確認を行うシステムについて説明したが、テレビ受像機以外の電子機器のリモコン信号を利用して、ユーザの安否の確認を行うシステムであっても良い。かかることも、他の実施の形態においても同様である。
【００４１】
また、本実施の形態によれば、情報処理装置１７が、受信したリモコン信号に関するデータと利用者識別情報を解析し、利用者の状況を判定した。しかし、かかる判定は、サーバ装置１６が行っても良い。サーバ装置１６がリモコン信号に関するデータと利用者識別情報を解析し、利用者の状況を判定する場合は、当該判定の結果の情報が、サーバ装置１６から情報処理装置１７に送信される。
【００４２】
また、本実施の形態によれば、リモコン信号送信装置１２から直接に、情報処理装置１７にリモコン信号データを送信しても良い。つまり、受信したリモコン信号に基づいて、リモコンのユーザの生活状況を判定し、出力する情報出力方法が実現できれば、システムの構成は問わない。かかることも、他の実施の形態においても同様である。
【００４３】
また、本実施の形態において、例えば、リモコンのボタンの中で、使用頻度の少ないボタンを緊急通報用のボタンに割り付け、当該ボタンが押下された場合に、リモコン信号送信装置１２は、特定の装置（例えば、図示しない警備会社の情報処理装置や、サーバ装置１４や、情報処理装置１７など）に、当該ボタンが押下された旨の情報（リモコン信号であっても良い）を送信しても良い。かかることも、他の実施の形態においても同様である。
【００４４】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。
【００４５】
（実施の形態２）
【００４６】
実施の形態１は、本発明の基本的なシステム構成であった。次に、更に具体的な実施の形態について説明する。図１、２を用いて説明する。
【００４７】
図１の通信回線１５と通信回線１８には、携帯電話回線を用いる。リモコン信号送信装置１２は、携帯電話機を利用するものとする。携帯電話機に、赤外線受信装置をリモコン信号受信部２０として組み込み、識別情報発生部２１が生成する利用者識別情報には、携帯電話の電話番号や、携帯メールのアドレスを使う。
利用者識別情報は、通常、予め携帯電話機が保持している。リモコン信号の送信には、携帯電話のメール伝送やデータ伝送の機能を使用する。なお、赤外線受信装置を外部入力端子つきの携帯電話機に接続してもよい。
【００４８】
サーバ装置１６としては、携帯電話会社のシステムを使用する。情報処理装置１７を、安否確認サービス提供所に設置する。リモコン信号送信装置１２は、送信の際、宛先アドレスとして安否確認サービス提供所の携帯電話番号を用いる。
サーバ装置１６、すなわち、携帯電話会社のシステムは、通常の携帯電話の場合と同じ接続制御を行い、メールやデータを安否確認サービス提供所に送る。安否確認サービス提供所の情報処理装置１７は、メールやデータを受信し、リモコン信号データを取り出し、（実施の形態１）において説明した情報処理を行う。
【００４９】
安否確認サービス提供所では、管理者が上記表示装置を監視し、異常が発生したときは、利用者に連絡をしたり利用者の家族に連絡するようにするサービスを行う。また、情報処理装置１７と利用者の家族とをインターネット回線で結び、状況判定部２７が異常と判定した場合、異常発生情報を利用者の家族のパソコンやテレビ受像機に通知するようにしてもよい。また、情報処理装置１７が、利用者の家族の携帯電話機に異常発生の通知メールを送るようにしてもよい。
【００５０】
（実施の形態３）
【００５１】
実施の形態２において、通信回線１５、１６として、携帯電話システムの回線を使用したが、他の方式でもよい。
【００５２】
つまり、例えば、通信回線１８として、インターネット回線網を使用する。リモコン信号送信装置１２から携帯電話回線１５を経て携帯電話会社のサーバ装置１６に送られたメールやデータは、サーバ装置１６からインターネット回線網１８を経由して情報処理装置１７に送られる。
【００５３】
通信回線１５は、固定電話回線でもよい。固定電話会社にサーバ装置１６を設置することになる。
【００５４】
サーバ装置１６をインターネットサービス提供者（ＩＳＰ）のところに設置し、通信回線１５としては、ダイアルアップやＡＤＳＬにより接続し、ＩＳＰがメールやデータをインターネット回線網である通信回線１８を介して、情報処理装置１７に送るようにしてもよい。
【００５５】
（実施の形態４）
実施の形態２において、情報処理装置１７を安否確認サービス提供所に設置したが、安否確認サービス提供所は、移動体、たとえば、自動車でもよい。
【００５６】
（実施の形態５）
上記各実施の形態において、情報処理装置１７を、利用者の家族の家に設置してもよい。情報処理装置１７の状況判定部２７の判定出力は、異常発生情報を家族側のテレビに表示したり、警報機を駆動したりするようにする。
【００５７】
家族の家に設置した情報処理装置１７は、異常判定を行った場合、利用者の家族の携帯電話機に異常発生情報を、携帯電話のメール機能により送るようにしてもよい。情報処理装置１７を携帯情報端末機や携帯電話機に組み込んでもよい。
【００５８】
利用者が一人の場合は、状況履歴記憶部２６には、一人の利用者の行動履歴情報が格納されるので、利用者識別情報による利用者ごとの行動履歴情報の識別は不要であるが、利用者が２人いて、別々の場所で生活している場合は、利用者識別情報による区別が必要である。
【００５９】
リモコン信号データが、そのままテレビ操作情報として使用できる場合は、リモコン信号データをテレビ操作情報として使用してもよい。
【００６０】
以上説明したように、本発明では、情報処理装置１７は、受信した当該リモコン信号データ、または、テレビ操作情報が、所定の条件に合致しているかどうか判定し、所定の条件に合致している場合、所定の情報を出力する。また、情報処理装置は、受信した当該リモコン信号データ、または、テレビ操作情報と、過去のリモコン信号データ、または、テレビ操作情報とにより、所定の条件に合致しているかどうか判定し、合致している場合、所定の情報を出力する。
【００６１】
また、本発明は、テレビ受像機に限らない電子機器のリモコン信号データから操作情報を抽出し、分析を行い、分析結果が所定の条件に合致しているかどうかを判定し、所定の条件に合致している場合、当該機器操作以外の安否確認に関する所定の情報を出力するようにしてもよい。
【００６２】
（実施の形態６）
実施の形態１では、リモコン信号データからテレビ操作情報を抽出するように説明した。リモコン信号送信装置１２が、サーバ装置１６または情報処理装置１７に送信するリモコン信号データの内容について説明する。
【００６３】
リモコン信号データとして、赤外線信号１４のリモコン符号をそのまま送信する場合は、形態はリモコン符号であるが、その内容は、テレビ操作情報に該当する。図３の（１）は、テレビ操作情報の一例である。時刻１０時００分２０秒に、電源ＯＮの指令が行われ、時刻１０時００分２５秒に、チャンネル２が選択されている。このようなテレビ操作情報が、リモコン操作が行われた時刻に発生する。状況情報解析部２５では、リモコン符号をテレビ操作情報に変換し、受信時刻を時刻情報として、時刻情報とテレビ操作情報とを一体として、テレビ操作情報として状況判定部２７に渡す。状況判定部２７では、テレビ操作情報をテレビ設定情報に変換する。図３の（２）は、テレビ設定情報の一例である。図３の（１）テレビ設定情報において、最新の操作、音量を−５、すなわち、５段階小さくするように操作された時点である時刻１０時１０分２０秒以降、テレビ受像機１１の電源はＯＮ、チェンネルは２、音量は１５、ミュートはＯＦＦであることを示す。このテレビ設定情報は、状況履歴記憶部２６に格納され、つぎのテレビ操作情報を受信した際に参照される。
【００６４】
図３の（１）に示すように、テレビ操作情報は、頻繁に発生する場合がある。すなわち、利用者がリモコンを頻繁に操作する場合である。このような場合、リモコン信号送信装置１２からのリモコン信号データの送信が頻繁に発生し、通信コストがかさむ恐れがある。そこで、リモコン信号データを、リモコン信号受信部２０において、一定時間、たとえば、１５分間蓄積し、１５分毎にまとめて、送信部２２から送信するようにしてもよい。
【００６５】
リモコン信号受信部２０において、赤外線信号からテレビ操作情報を抽出し、これをリモコン信号データとして送信部２２から送信してもよい。また、時刻情報を付加して送信部２２から送信してもよい。
【００６６】
リモコン信号受信部２０において、赤外線信号からテレビ操作情報を抽出し、さらにテレビ設定情報に変換し、これをリモコン信号データとして送信部２２から送信してもよい。この場合は、リモコン信号受信部２０内にテレビ設定情報を格納する記憶部を設けておく。テレビ設定情報をリモコン信号データとして送信する場合にも、テレビ設定が変更されるたびに送らず、一定時間、たとえば、１５分毎に、その時間内に設定変更があった場合にのみ、送信するようにしてもよい。また、テレビ設定方法に変化がなくとも、１５分毎に送信し、状況判定部２７において、前回受信時のテレビ設定情報と比較し、変化の有無を判定し、長時間変化がない場合に、異常発生と判定してもよい。
【００６７】
なお、上記各実施の形態では、テレビ受像機のリモコン信号を対象にして説明したが、すでに述べたように、テレビ受像機以外の主として家庭用機器（電子機器）のリモコン信号についても、本発明を適用することができる。該家庭用機器のモコン信号からリモコン信号データとしてリモコン符号、該家庭用機器の機器操作情報、該家庭用機器の機器設定情報などを、上記説明で行うと同様に抽出、変換、処理するようにすればよい。
【００６８】
また、上記各実施の形態では、情報処理システムを、主として利用者の安否確認用に用いたが、利用者の生活状況の判定に用いることも可能である。生活状況の判定とは、テレビの見すぎで、目に負担のかかる生活をしている、または、知的な生活がおくれていない、などである。
【発明の効果】
以上のように、本発明によれば、既存のテレビリモコンなどのリモコンをそのまま使用して、安否確認などの利用者の生活状況を遠隔から取得でき、利用者の負担も少ない。
【図面の簡単な説明】
【図１】本発明の情報処理システムの一実施形態の図
【図２】本発明のリモコン信号送信装置の一実施形態によるブロック図、および、情報処理装置１７の一実施形態のブロック図
【図３】テレビ操作情報とテレビ設定情報の一例を示す図
【符号の説明】
１０  利用者の部屋
１１      テレビ受像機
１２  リモコン信号送信装置
１３  リモコン
１４  赤外線信号
１５  通信回線
１６  サーバ装置
１７  情報処理装置
１８  通信回線
２０  リモコン信号受信部
２１  識別情報発生部
２２  送信部
２３  状況情報受信部
２４  識別情報解析部
２５  状況情報解析部
２６  状況履歴記憶部
２７  状況判定部
【図１】
2004274296.tif 000003
【図２】
2004274296.tif 000004
【図３】
2004274296.tif 000005